(57)【特許請求の範囲】
【請求項１】
内容物を収容したボトルの口部に取り付け可能なキャップ本体部と、該キャップ本体部の上面に設けられ、複数の櫛歯が並設された櫛部と、を備え、
前記櫛歯の側面に、前記内容物を吐出する吐出口が形成され、前記櫛歯の内部に、前記キャップ本体部の内側と前記吐出口とを連通する連通孔が形成された櫛付きキャップにおいて、
前記櫛部には、
櫛歯並列方向に延在して複数の前記櫛歯を貫通するピン金型により形成された前記吐出口としての第一吐出口を有する複数の櫛歯が形成されており、
前記複数の櫛歯のうち、少なくとも１つの櫛歯は、前記連通孔を形成するコア金型にキャビティ金型の一部を接触させて成形することによりその接触部分に形成された前記吐出口としての第二吐出口を有しており、
前記第二吐出口は、櫛歯軸方向で櫛歯中間部に形成され、前記第一吐出口は、前記第二吐出口よりも櫛歯先端側に形成され、
前記第二吐出口は、前記第一吐出口が形成された前記櫛歯並列方向及び前記櫛歯軸方向の双方に直交する方向の櫛歯中央部分から、前記櫛歯並列方向及び前記櫛歯軸方向の双方に直交する方向にずらして形成され、
前記第一吐出口は、前記第二吐出口よりも開口面積が大きくなっていることを特徴とする櫛付きキャップ。
【発明の詳細な説明】
【技術分野】
【０００１】
本発明は、ボトルの口部に取り付け可能な櫛付きキャップに関する。
【背景技術】
【０００２】
この種の櫛付きキャップとして、従来、例えば下記特許文献１に示されているような、内容物を収容したボトルの口部に取り付け可能なキャップ本体部と、このキャップ本体の上面に設けられた櫛部と、を備えた構成が知られている。上記した櫛部には、一列に並列された複数の櫛歯が備えられている。この櫛歯の側面には、ボトル内の内容物を吐出させるための吐出口が形成されており、また、櫛歯の内部には、上記した吐出口とキャップ本体部の内側とを連通する連通孔が形成されている。この櫛付きキャップでは、ボトル内に収容された内容物が上記した連通孔を通って吐出口から吐出されるので、吐出口から内容物を吐出させるとともに櫛部で毛髪を梳かすことにより、毛髪に内容物を塗布することができる。
【特許文献１】特許第３９５０６０１号公報
【発明の開示】
【発明が解決しようとする課題】
【０００３】
しかしながら、上記した従来の櫛付きキャップでは、内容物を吐出する吐出口が櫛歯の先端部分にだけ形成されているので、吐出された内容物が櫛部の先端部分に溜まり易い。このため、多量の内容物を一度に吐出させると内容物が櫛部から垂れ落ちる問題が生じるので、内容物を一度に多量に吐出させることができず、内容物の塗布量が不足する場合がある。また、吐出された内容物が櫛部の先端部分に溜まっていると、内容物を櫛部で梳かしながら毛髪等に塗布した際に塗布ムラが生じ易くなる。
【０００４】
本発明は、上記した従来の問題が考慮されたものであり、一度に多量の内容物を吐出させることができるとともに内容物の塗布ムラを防止することができる櫛付きキャップを提供することを目的としている。
【課題を解決するための手段】
【０００５】
本発明に係る櫛付きキャップは、内容物を収容したボトルの口部に取り付け可能なキャップ本体部と、該キャップ本体部の上面に設けられ、複数の櫛歯が並設された櫛部と、を備え、前記櫛歯の側面に、前記内容物を吐出する吐出口が形成され、前記櫛歯の内部に、前記キャップ本体部の内側と前記吐出口とを連通する連通孔が形成された櫛付きキャップにおいて、前記櫛部には、櫛歯並列方向に延在して複数の前記櫛歯を貫通するピン金型により形成された前記吐出口としての第一吐出口を有する複数の櫛歯が形成されており、前記複数の櫛歯のうち、少なくとも１つの櫛歯は、前記連通孔を形成するコア金型にキャビティ金型の一部を接触させて成形することによりその接触部分に形成された前記吐出口としての第二吐出口を有しており、前記第二吐出口は、櫛歯軸方向で櫛歯中間部に形成され、前記第一吐出口は、前記第二吐出口よりも櫛歯先端側に形成され、前記第二吐出口は、前記第一吐出口が形成された前記櫛歯並列方向及び前記櫛歯軸方向の双方に直交する方向の櫛歯中央部分から、前記櫛歯並列方向及び前記櫛歯軸方向の双方に直交する方向にずらして形成され、前記第一吐出口は、前記第二吐出口よりも開口面積が大きくなっていることを特徴としている。
【０００６】
このような特徴により、ボトル内に収容された内容物が、連通孔を通って、櫛歯の中心軸方向の位置が異なる第一及び第二吐出口からそれぞれ吐出されるので、櫛部の広範囲の部分に内容物が吐出される。
したがって、一つの櫛歯に形成された第一及び第二吐出口からボトル内の内容物がそれぞれ吐出されるので、櫛歯の側面に吐出口が１つ形成されている場合に比べて内容物の吐出量が増加する。
また、内容物を吐出口から吐出させる際、櫛歯先端側の吐出口ほど内容物の流通経路が長くなるので、櫛歯先端側の吐出口の方が櫛歯基端側の吐出口よりも内容物が流出されにくい。このため、仮に、第一吐出口と第二吐出口とが同じ開口面積の場合、第一吐出口及び第二吐出口のうちの櫛歯先端側の一方の吐出口からの吐出量が他方の吐出口からの吐出量よりも少なくなる。これに対し、上記した構成からなる櫛付きキャップでは、第一吐出口の開口面積が第二吐口の開口面積よりも大きくなっているので、第一吐出口及び第二吐出口における吐出量のばらつきが抑えられ、吐出量を均等化することが可能となる。
【発明の効果】
【０００９】
本発明に係る櫛付きキャップによれば、櫛歯軸線方向の位置が異なる第一及び第二吐出口から内容物がそれぞれ吐出され、櫛部の広範囲の部分に内容物が吐出されるので、一度に多量の内容物を吐出させることができ、また、内容物の塗布ムラを防止することができる。
【発明を実施するための最良の形態】
【００１０】
以下、本発明に係る櫛付きキャップの実施の形態について、図面に基いて説明する。
【００１１】
［第一の実施の形態］
まず、図１から図４に基いて、第一の実施の形態について説明する。
図１は本実施の形態における櫛付きキャップ１の平面図であり、図２は図１に示すＡ−Ａ間の半断面図であり、図３は図１に示すＢ−Ｂ間の半断面図であり、図４は図１に示すＣ−Ｃ間の半断面図である。
なお、本実施の形態では、櫛付きキャップ１の開口端側（図２における下側）を下方とし、その反対側（図２における上側）を上方とする。また、後述する櫛歯８が並べられた櫛歯並列方向（図１における横方向）をＸ方向とし、Ｘ方向に直交する方向（図１における縦方向）をＹ方向とする。また、上下方向に延在する図２に示す符号Ｌ０は、櫛付きキャップ１の中心軸線であり、以下、キャップ軸Ｌ０と記す。また、図２に示す符号Ｌ１は、後述する櫛歯８の中心軸線であり、以下、櫛歯軸Ｌ１と記す。
【００１２】
図１〜図４に示すように、櫛付きキャップ１は、図示せぬボトルの口部に取り付けられたポリプロピレン、ポリエチレン等の合成樹脂製の部材であり、その概略構成としては、上記口部に螺着されるキャップ本体部２と、複数の櫛歯８が並設された櫛部３と、を備えている。上記した図示せぬボトルは、内部に毛染め剤等の内容物が収容されたスクイズボトルであり、その胴部がスクイズ変形可能で復元自在な可撓性を有している。
【００１３】
キャップ本体部２は、円環状の天板部４と、天板部４の外縁部から下方に向かって垂下された外筒部５と、天板部４の内縁部から下方に向かって垂下された内筒部６と、を備えている。外筒部５は、図示せぬボトルの口部の外側に被せられる円筒形状のものであり、その内周面には、上記口部の外周面に形成された雄ネジに螺着される雌ネジ５０が形成され、また、その外周面には、上下方向に延在する凸条部５１がキャップ周方向に間隔をあけて複数配設されている。内筒部６は、図示せぬボトルの口部の内側に挿入される円筒形状のものであり、その外周面は、上記口部の上端部の内周面に摺接される。
【００１４】
櫛部３は、後述する第一吐出口８１Ａと第二吐出口８１Ｂとがそれぞれ形成された櫛歯８を備えている。具体的に説明すると、櫛部３は、キャップ本体部２の天板部４の上面に設けられた中空の基台部７と、基台部７の上面に突設された複数の櫛歯８と、基台部７の上面に突設されて隣り合う櫛歯８のＹ方向の両端部間にそれぞれ配設された副櫛歯９と、を備えている。
【００１５】
基台部７は、天板部４の内縁部から上方に向けて膨出された略ドーム状の形状になっており、図１に示すように平面視においてＸ方向に長い略楕円形状になっており、その下端面は開口されており、キャップ本体部２の内筒部６の内側に連通されている。
【００１６】
櫛歯８は、キャップ軸Ｌ０に平行する平板状の部材であり、図４に示すように上方に向かうに従い漸次縮幅された尖形状になっている。櫛歯８の先端部及び側端部はそれぞれ断面視円弧形状になっている。複数の櫛歯８は、図１に示すように、櫛歯８の先端側（上側）からみて、それぞれＹ方向に沿って互いに平行に配置されているとともに、Ｘ方向に一定間隔をおいて一列に並列されている。
【００１７】
上記した櫛歯８の内部には、後述する吐出口８１Ａ，８１Ｂと上記したキャップ本体部２の内側とを連通する連通孔８０が形成されている。連通孔８０は、櫛歯軸Ｌ１方向（上下方向）に延在する孔である。連通孔８０は、基台部７の内側空間を介してキャップ本体部２の内側に連通される孔であり、櫛歯８基端側に配設されたＹ方向に長い長孔部８０ａと、その長孔部の上方に配設された丸穴状の細孔部８０ｂと、から構成されている。長孔部８０ａの下端は、基台部７の内側に向けて開放されている。また、細孔部８０ｂは、長孔部８０ａの上端のＹ方向の中央部分から上方に向けて延設されており、細孔部８０ｂの下端は、長孔部８０ａの内側に向けて開放されている。
【００１８】
また、櫛歯８の側面（隣り合う櫛歯８に対向するＸ方向の面）には、図示せぬボトル内の内容物を吐出させるための吐出口８１Ａ，８１Ｂとして、櫛歯軸Ｌ１方向の位置が異なる第一吐出口８１Ａ及び第二吐出口８１Ｂがそれぞれ形成されている。
【００１９】
第一吐出口８１Ａは、Ｘ方向に延在して複数の櫛歯８を貫通する図示せぬピン金型により形成された横孔であり、第二吐出口８１Ｂよりも櫛歯８先端側に配設されている。この第一吐出口８１Ａは、櫛歯８の先端部に形成されており、連通孔８０の先端（細孔部８０ｂの上端）に連通されている。詳しく説明すると、櫛歯８の上端部のＹ方向の中央部分には、Ｘ方向に貫通する丸孔状の貫通孔８３が形成されており、この貫通孔８３の軸方向（Ｘ方向）の中央部分に連通孔８０の細孔部８０ｂの上端が連通されており、上記した貫通孔８３の両端がそれぞれ第一吐出口８１Ａとなっている。つまり、第一吐出口８１Ａは、櫛歯８のＸ方向の両側面にそれぞれ形成されており、櫛歯軸Ｌ１を挟んで対称に形成されている。また、第一吐出口８１Ａの開口面積は、第二吐出口８１Ｂの開口面積よりも大きくなっている。
【００２０】
第二吐出口８１Ｂは、連通孔８０を形成するための図示せぬコア金型に図示せぬ縦喰い切りピン（キャビティ金型の一部）を接触させて成形することにより、その接触部分に形成された縦喰い切り孔である。この第二吐出口８１Ｂは、櫛歯８の軸方向中間部に形成されており、連通孔８０の中間部分（長孔部８０ａ）に連通されている。また、第二吐出口８１Ｂは、第一吐出口８１Ａが形成された中央部分からＹ方向にずらして形成されており、側面視において、櫛歯軸Ｌ１を挟んで両側にそれぞれ配設されている。詳しく説明すると、櫛歯８の側面には、櫛歯８の先端部（上端部）から基端側（下方）に向かって延在する凹溝８２が、第一吐出口８１Ａ（貫通孔８３）を挟んで両側にそれぞれ形成されている。この凹溝８２を形成するための図示せぬ縦喰い切りピンの先端部には、ピン軸に対して傾斜した当接面が形成されている。また、連通孔８０を形成するための図示せぬコア金型のうち、長孔部８０ａを形成する矩形部分の上側の隅角部には、コア金型の中心軸線に対して傾斜した当接面が形成されている。そして、上記した縦喰い切りピンの当接面とコア金型の当接面とを当接させることにより、成型時に、上記した当接部分に樹脂等が回らなくなり、凹溝８２の下端部の底面に第二吐出口８１Ｂが形成される。なお、上記したコア金型や縦喰い切りピンの当接面は、傾斜面でなくてもよく、縦喰い切りピンやコア金型の中心軸線に対して直交した平面であってもよい。上記した第二吐出口８１Ｂは、長孔部８０ａの上側の隅角部に開口されている。また、第二吐出口８１Ｂは、櫛歯８のＸ方向の両側面にそれぞれ形成されており、櫛歯軸Ｌ１を挟んで対称に形成されており、また、第二吐出口８１Ｂの開口面は、上方に向かうに従い櫛歯８径方向内側に傾斜されており、櫛歯軸Ｌ１を挟んで対称に形成された一対の第二吐出口８１Ｂ，８１Ｂは、図４に示すように、Ｘ方向の縦断面視においてハ字状に形成されている。
【００２１】
次に、上記した構成からなる櫛付きキャップ１の作用について説明する。
【００２２】
まず、櫛歯８の先端を頭皮に当てる。詳しく説明すると、図示せぬボトルの胴部を把持し、吐出容器を上下反転させて櫛歯８の先端を頭皮に当接させる。
次に、吐出口８１Ａ，８１Ｂから所定量の内容物をそれぞれ吐出させながら、櫛部３により毛髪を梳かし、上記した内容物を毛髪に塗布する。
詳しく説明すると、図示せぬボトルの胴部を指等で押圧してスクイズ変形させる。これにより、ボトルの内圧が上昇し、ボトル内の内容物が、基台部７内から連通孔８０内を通って吐出口８１Ａ，８１Ｂからそれぞれ吐出される。このとき、櫛歯軸Ｌ１方向の位置が異なる第一吐出口８１Ａ及び第二吐出口８１Ｂからそれぞれ内容物が吐出されるので、櫛部３の広範囲の部分に内容物が吐出される。また、第一吐出口８１Ａの方が第二吐出口８１Ｂよりも開口面積が大きいので、第一吐出口８１Ａからも内容物が流出し易い。
また、櫛付きキャップ１を櫛歯８が並べられた方向（Ｘ方向）と直交する方向に頭皮に沿って移動させる。これにより、吐出口８１Ａ，８１Ｂから吐出された内容物が毛髪に塗布される。
また、上記スクイズ変形を解除して、ボトル３の内圧を低下させることにより、内容物の吐出が停止される。
【００２３】
上記した構成からなる櫛付きキャップ１によれば、櫛歯軸Ｌ１方向の位置が異なる第一吐出口８１Ａ及び第二吐出口８１Ｂから内容物がそれぞれ吐出され、櫛部３の広範囲の部分に内容物が吐出されるので、一度に多量の内容物を吐出させることができ、また、内容物の塗布ムラを防止することができる。
【００２４】
また、１つの櫛歯８の側面に第一吐出口８１Ａ及び第二吐出口８１Ｂがそれぞれ形成されていることにより、１つの櫛歯８の側面に第一吐出口８１Ａ及び第二吐出口８１Ｂのうちの何れか一方が形成されている場合に比べて内容物の吐出量が多くなるので、毛髪に十分な量の内容物を塗布することができる。
【００２５】
第一吐出口８１Ａの開口面積が第二吐出口８１Ｂの開口面積よりも大きくなっており、第一吐出口８１Ａから内容物が流出し易くなっているため、第一吐出口８１Ａ及び第二吐出口８１Ｂにおける吐出量のばらつきが抑えられ、各吐出口８１Ａ，８１Ｂからの吐出量の均等化を図ることができる。これにより、櫛部３全体に均等に内容物を吐出させることができ、毛髪等に内容物をムラ無く塗布することができる。
【００２６】
［第二の実施の形態］
次に、図５から図７に基いて、第二の実施の形態について説明する。
図５は本実施の形態における櫛付きキャップ１の平面図であり、図６は図５に示すＤ−Ｄ間の半断面図であり、図７は図５に示すＥ−Ｅ間の半断面図である。
なお、上述した第一の実施の形態と同様の構成については、第一の実施の形態と同様の符号を付してその説明を省略する。
【００２７】
図５から図７に示すように、櫛部３には、第一吐出口８１Ａが形成された第一櫛歯８Ａと、上記第一吐出口８１Ａ及び第二吐出口８１Ｂがそれぞれ形成された第二櫛歯８Ｂと、が備えられている。第一櫛歯８Ａと第二櫛歯８ＢとはＸ方向に交互に配設されている。
【００２８】
第一櫛歯８Ａの内部には、櫛歯軸Ｌ１方向に延在する丸孔状の第一連通孔８０Ａが形成されている。この第一連通孔８０Ａの上端は、第一櫛歯８Ａの先端部に形成された貫通孔８３内に開放され、第一連通孔８０Ａの下端は、基台部７の内側に向けて開放されている。
【００２９】
第二櫛歯８Ｂの内部には、櫛歯軸Ｌ１方向に延在する略丸孔状の第二連通孔８０Ｂが形成されており、この第二連通孔８０Ｂの上端は、第二櫛歯８Ｂの先端部に形成された貫通孔８３内に開放され、第二連通孔８０Ｂの下端は、基台部７の内側に向けて開放されている。また、第二連通孔８０Ｂの内周面のうち、Ｘ方向の両面には、第二連通孔８０ＢのＸ方向の幅が上方に向かうに従い縮幅されるように段差がそれぞれ付けられており、この段差部分に第二吐出口８１Ｂが形成されている。第二吐出口８１Ｂは、第二連通孔８０Ｂを形成するための図示せぬコアピン（コア金型）に図示せぬキャビティ金型の一部を接触させて成形することにより、その接触部分に形成された縦喰い切り孔である。
【００３０】
上記した構成の櫛部３を有する櫛付きキャップ１では、図示せぬボトルの胴部を指等で押圧してスクイズ変形させることにより、ボトル内の内容物が、基台部７内から第一櫛歯８Ａ内の第一連通孔８０Ａ内を通って、第一櫛歯８Ａに形成された第一吐出口８１Ａから吐出されるとともに、基台部７内から第二櫛歯８Ｂ内の第二連通孔８０Ｂ内を通って、第二櫛歯８Ｂに形成された第一吐出口８１Ａ及び第二吐出口８１Ｂからそれぞれ吐出される。これにより、櫛部３の広範囲の部分に内容物が吐出される。
【００３１】
上記した構成からなる櫛付きキャップ１によれば、櫛部３の先端側に形成される第一吐出口８１Ａの数が、櫛部３の中間部分に形成される第二吐出口８１Ｂよりも多くなる。これにより、櫛部３全体に均等に内容物を吐出させることができ、毛髪等に内容物をムラ無く塗布することができる。
【００３２】
［第三の実施の形態］
次に、図５、図８、図９に基いて、第三の実施の形態について説明する。
図８は図５に示すＤ−Ｄ間の半断面図であり、図９は図５に示すＥ−Ｅ間の半断面図である。
なお、上述した第一、第二の実施の形態と同様の構成については、第一、第二の実施の形態と同様の符号を付してその説明を省略する。
【００３３】
図５、図８、図９に示すように、櫛部３には、第一吐出口８１Ａが形成された第一櫛歯８Ａと、第二吐出口８１Ｂが形成された第二櫛歯８Ｃと、が備えられている。第一櫛歯８Ａと第二櫛歯８ＣとはＸ方向に交互に配設されている。
【００３４】
第二櫛歯８Ｃの内部には、櫛歯軸Ｌ１方向に延在する略丸孔状の第二連通孔８０Ｃが形成されており、この第二連通孔８０Ｃの上端は、第二櫛歯８Ｃの先端部に形成された貫通孔８３の手前（第二櫛歯８Ｃの中間部分）で止まっており、第二連通孔８０Ｃの下端は、基台部７の内側に向けて開放されている。また、第二連通孔８０Ｃの上端部のＸ方向の両面には、第二連通孔８０ＣのＸ方向の幅が上方に向かうに従い縮幅されるように傾斜面が形成されており、この傾斜面に第二吐出口８１Ｂが形成されている。第二吐出口８１Ｂは、第二連通孔８０Ｃを形成するための図示せぬコアピン（コア金型）の上端部に図示せぬキャビティ金型の一部を接触させて成形することにより、その接触部分に形成された縦喰い切り孔である。
【００３５】
上記した構成の櫛部３を有する櫛付きキャップ１では、図示せぬボトルの胴部を指等で押圧してスクイズ変形させることにより、ボトル内の内容物が、基台部７内から第一櫛歯８Ａ内の第一連通孔８０Ａ内を通って、第一櫛歯８Ａに形成された第一吐出口８１Ａから吐出されるとともに、基台部７内から第二櫛歯８Ｃ内の第二連通孔８０Ｃ内を通って、第二櫛歯８Ｃに形成された第二吐出口８１Ｂから吐出される。これにより、櫛部３の広範囲の部分に内容物が吐出される。
上記した構成からなる櫛付きキャップ１によれば、内容物の塗布ムラを防止することができる。
【００３６】
［第四の実施の形態］
次に、図１０、図１１に基いて、第四の実施の形態について説明する。
図１０は本実施の形態における櫛付きキャップ１の平面図であり、図１１は図１０に示すＦ−Ｆ間の半断面図である。
なお、上述した第一から第三の実施の形態と同様の構成については、第一から第三の実施の形態と同様の符号を付してその説明を省略する。
【００３７】
図１０、図１１に示すように、櫛部３には、第一吐出口８１Ａ及び第二吐出口８１Ｂがそれぞれ形成された櫛歯８Ｄが備えられている。この櫛歯８Ｄの内部には、櫛歯軸Ｌ１方向に延在する略丸孔状の連通孔８０Ｄが形成されており、この連通孔８０Ｄの上端は、櫛歯８Ｄの先端部に形成された貫通孔８３内に開放され、連通孔８０Ｄの下端は、基台部７の内側に向けて開放されている。また、連通孔８０Ｄの内周面のうち、Ｘ方向の一方側の面には、連通孔８０ＤのＸ方向の幅が上方に向かうに従い縮幅されるように段差が付けられており、この段差部分に第二吐出口８１Ｂが形成されている。すなわち、櫛歯８ＤのＸ方向の一方の側面には、第一吐出口８１Ａ及び第二吐出口８１Ｂがそれぞれ形成されており、櫛歯８ＤのＸ方向の他方の側面には、第一吐出口８１Ａだけが形成されている。
【００３８】
上記した構成の櫛部３を有する櫛付きキャップ１では、図示せぬボトルの胴部を指等で押圧してスクイズ変形させることにより、ボトル内の内容物が、基台部７内から連通孔８０Ｄ内を通って、櫛歯８Ｄの一方の側面に形成された第一吐出口８１Ａ及び第二吐出口８１Ｂからそれぞれ吐出されるとともに、櫛歯８Ｄの他方の側面に形成された第一吐出口８１Ａから吐出される。
【００３９】
上記した構成からなる櫛付きキャップ１によれば、櫛部３の先端側に形成される第一吐出口８１Ａの数が、櫛部３の中間部分に形成される第二吐出口８１Ｂよりも多くなる。これにより、櫛部３全体に均等に内容物を吐出させることができ、毛髪等に内容物をムラ無く塗布することができる。
【００４０】
以上、本発明に係る櫛付きキャップの実施の形態について説明したが、本発明は上記した実施の形態に限定されるものではなく、その趣旨を逸脱しない範囲で適宜変更可能である。
例えば、上記した実施の形態では、第一吐出口８１Ａが第二吐出口８１Ｂよりも櫛歯先端側（上側）に配設されているが、本発明は、第二吐出口８１Ｂが第一吐出口８１Ａよりも櫛歯先端側（上側）に配設されていてもよい。
また、上記した実施の形態では、櫛歯先端側に配設された一方の吐出口（第一吐出口８１Ａ）が他方の吐出口（第二吐出口８１Ｂ）よりも開口面積が大きくなっているが、本発明は、第一吐出口８１Ａ及び第二吐出口８１Ｂの開口面積を同等にすることも可能であり、或いは、櫛歯先端側に配設された一方の吐出口の開口面積を他方の吐出口の開口面積よりも小さくすることも可能である。
【００４１】
また、上記した実施の形態では、複数の櫛歯８（８Ａ〜８Ｄ）がキャップ軸Ｌ０に対する仮想垂直面に沿って並べられており、複数の櫛歯８（８Ａ〜８Ｄ）がキャップ軸Ｌ０方向に突出されているが、本発明は、櫛歯の向きは適宜変更可能である。例えば、複数の櫛歯がキャップ軸Ｌ０と平行な仮想平面に沿って並べられ、複数の櫛歯がキャップ軸Ｌ０に直交する方向に突出されていてもよく、或いは、複数の櫛歯がキャップ軸Ｌ０に対して傾斜した仮想平面に沿って並べられ、複数の櫛歯がキャップ軸Ｌ０に対して傾斜した方向に突出されていてもよい。
【００４２】
また、上記した実施の形態では、スクイズボトルに櫛付きキャップ１が取り付けられているが、本発明に係る櫛付きキャップをスクイズボトル以外のボトルに取り付けることも可能である。例えば、シリンダ内をピストンが往復移動する構成のポンプにより内容物を吐出させる吐出容器やエアゾール容器等に本発明に係る櫛付きキャップ適用することも可能であり、その他の構成の吐出容器に適用することも可能である。
【００４３】
また、上記した実施の形態では、複数の櫛歯８（８Ａ〜８Ｄ）が一列に並べられているが、本発明は、複数の櫛歯が、二列以上に並べられていてもよい。また、上記した実施の形態では、複数の櫛歯８（８Ａ〜８Ｄ）が直線的に並べられているが、本発明は、複数の櫛歯８（８Ａ〜８Ｄ）が曲線的に並べられていてもよく、或いは、千鳥状に並べられていてもよい。
また、上記した実施の形態では、キャップ本体部２が図示せぬボトルの口部に螺着される構成になっているが、本発明は、螺着以外の方法でキャップ本体部２をボトル口部に取り付けてもよく、例えば、アンダーカット嵌合によってキャップ本体部２を口部に取り付けてもよい。
また、上記した実施の形態では、平板形状の櫛歯８（８Ａ〜８Ｄ）が備えられているが、本発明は、櫛歯の形状を適宜変更することが可能であり、例えば、棒状の櫛歯が設けられていてもよい。
さらに、第二吐出口８１Ｂは、コア金型にキャビティ金型の一部を上方から接触させて形成しているが、本発明は、例えば、キャビティ金型としてＹ方向に分割可能な分割金型を使用し、この分割金型の一部をコア金型に接触させることにより第二吐出口８１Ｂを形成することも可能である。
【００４４】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４５】
【図１】本発明の第一の実施の形態を説明するための櫛付きキャップの平面図である。
【図２】本発明の第一の実施の形態を説明するための図１に示すＡ−Ａ間の半断面図である。
【図３】本発明の第一の実施の形態を説明するための図１に示すＢ−Ｂ間の半断面図である。
【図４】本発明の第一の実施の形態を説明するための図１に示すＣ−Ｃ間の半断面図である。
【図５】本発明の第二の実施の形態を説明するための櫛付きキャップの平面図である。
【図６】本発明の第二の実施の形態を説明するための図５に示すＤ−Ｄ間の半断面図である。
【図７】本発明の第二の実施の形態を説明するための図５に示すＥ−Ｅ間の半断面図である。
【図８】本発明の第三の実施の形態を説明するための図５に示すＤ−Ｄ間の半断面図である。
【図９】本発明の第三の実施の形態を説明するための図５に示すＥ−Ｅ間の半断面図である。
【図１０】本発明の第四の実施の形態を説明するための櫛付きキャップの平面図である。
【図１１】本発明の第四の実施の形態を説明するための図１０に示すＦ−Ｆ間の半断面図である。
【符号の説明】
【００４６】
１  櫛付きキャップ
２  キャップ本体部
３  櫛部
８，８Ｄ  櫛歯
８Ａ  第一櫛歯（櫛歯）
８Ｂ，８Ｃ  第二櫛歯（櫛歯）
８０，８０Ｄ  連通孔
８０Ａ  第一連通孔（連通孔）
８０Ｂ，８０Ｃ第二連通孔（連通孔）
８１Ａ  第一吐出口（吐出口）
８１Ｂ  第二吐出口（吐出口）
【図１】
0005244410.tif 000002
【図２】
0005244410.tif 000003
【図３】
0005244410.tif 000004
【図４】
0005244410.tif 000005
【図５】
0005244410.tif 000006
【図６】
0005244410.tif 000007
【図７】
0005244410.tif 000008
【図８】
0005244410.tif 000009
【図９】
0005244410.tif 000010
【図１０】
0005244410.tif 000011
【図１１】
0005244410.tif 000012